(57)【要約】      （修正有）【課題】装飾性が高く、多品種少量生産に適したポケット付き衣服を提供する。【解決手段】生地１の表側に開口部３を有するポケットＰが設けられたポケット付き衣服Ｃにおいて、開口部３の周縁部の生地１の表側がラバーシート５により被覆され、ラバーシート５は、図形、絵柄、キャラクター、文字、数字又は記号が印刷された印刷層を備える。これによれば、図形、絵柄、キャラクター、文字、数字又は記号による装飾を鮮明に印刷することができる。また、使用者によりポケットが繰り返し使用されても、ポケットの周囲の生地が伸びあるいは撚れず、ポケットの周囲の生地に印刷された図形等による装飾が歪むことを抑制することができる。また、異なるデザインによる衣服の多品種少量生産を容易に行うことができる。【選択図】図１
0003224709.tif 000002
【実用新案登録請求の範囲】
【請求項１】
生地の表側に開口部を有するポケットが設けられたポケット付き衣服において、
前記開口部の周縁部の生地の表側がラバーシートにより被覆され、
前記ラバーシートは、図形、絵柄、キャラクター、文字、数字又は記号が印刷された印刷層を備えるポケット付き衣服。
【請求項２】
前記開口部にファスナー部材が設けられ、
前記ファスナー部材と前記開口部の周縁部の生地との境界部が前記ラバーシートにより被覆されている請求項１に記載のポケット付き衣服。
【請求項３】
前記ラバーシートは、図形、絵柄、キャラクター、文字、数字又は記号の形状に模られている請求項１又は請求項２に記載のポケット付き衣服。
【請求項４】
前記ポケットの前記開口部の周縁部の生地の表側に前記ラバーシートが重ね合わされるとともに、前記ポケットの前記開口部の周縁部の生地の裏側に前記ファスナー部材が重ね合わされた状態において、前記ラバーシートと前記ファスナー部材が生地に一括して熱溶着されている請求項２に記載のポケット付き衣服。
【請求項５】
前記ポケットの内部に保冷材が収容される請求項１から請求項４のいずれかに記載のポケット付き衣服。
【考案の詳細な説明】
【技術分野】
【０００１】
本考案は、生地の表側に開口部を有するポケットが設けられたポケット付き衣服に関するものである。
【背景技術】
【０００２】
従来から、生地の表側に開口部を有するポケットが設けられた衣服が知られており、該衣服の着用者は当該ポケットに物品を収容して携帯することができる。このような衣服は、開口部が外部に開放されていると、衣服の着用者が、ポケットに物品を収容した状態で道路や階段を走り、あるいはスポーツに興じる等のように、身体を大きくあるいは素早く動かした場合、当該物品をポケットの開口部から落として紛失することがあった。特に衣服のポケットに収容される物品は、ハンカチ等の身回り品に限られず財布等の貴重品を含む場合も多いため、この問題は非常に深刻であった。
【０００３】
そこで、特許文献１に示すように、ポケットの開口部の縁の生地に開閉可能なファスナーが設けられた衣服が知られている（特許文献１の図２参照）。このような衣服は、着用者がポケットに物品を収容してファスナーを閉じさえすれば、当該開口部がファスナーにより強く閉鎖されるため、身体を大きくあるいは素早く動かす場合であっても、当該物品をポケットの開口部から落とすことがなかった。
【０００４】
ところが、これらの衣服は、ポケットのファスナーを設けることにより機能性が向上するものの、一般に外観的な装飾性が乏しいものであった。
【０００５】
そこで、特許文献２に示すように、生地にロゴ・模様・キャラクター・マークがプリントされた衣服も知られている。このような衣服は、表面にプリントされたロゴ・模様・キャラクター・マークにより、衣服にとって非常に重要な要素の外観的な装飾性を具備することができる。
【先行技術文献】
【特許文献】
【０００６】
【特許文献１】実用新案登録第３１６０９９０号公報
【特許文献２】特開２００４−１８３２０２号公報
【考案の概要】
【考案が解決しようとする課題】
【０００７】
しかしながら、特許文献２の衣服は、生地にロゴ・模様・キャラクター・マークによる装飾が直接印刷されているに過ぎないため、ロゴ等が鮮明なものではなかった。
【０００８】
また、衣服がポケットを備え、上記ロゴ等がポケットの周囲の生地に印刷された場合、使用者によりポケットが繰り返し使用されるうち、ポケットの周囲の生地が伸びあるいは撚れて、ポケットの周囲の生地に印刷されたロゴ等が歪むこともあった。特に、生地に印刷されたものがキャラクターであった場合、キャラクターが歪んでしまうことにより外観的な意匠性が大きく棄損されていた。
【０００９】
また、別々の生地に同一のロゴ等が印刷機により画一的に印刷されるに過ぎないため、同一の衣服の大量生産には適しているが、異なるデザインによる衣服の多品種少量生産には適していなかった。特に、近年、服飾業界の流行の移り変わりが非常に早くなっている状況のもと、衣服の多品種少量生産に適していないことは流行に追随するための大きな障害となっていた。
【００１０】
本考案は、上述の技術的背景に鑑みてなされたものであり、装飾性が高く、多品種少量生産に適したポケット付き衣服を提供することを目的とする。
【課題を解決するための手段】
【００１１】
本考案は、上記目的を達成するために、生地の表側に開口部を有するポケットが設けられたポケット付き衣服において、前記開口部の周縁部の生地の表側がラバーシートにより被覆され、前記ラバーシートは、図形、絵柄、キャラクター、文字、数字又は記号が印刷された印刷層を備えることを特徴とする。
【００１２】
これによれば、ラバーシートに図形、絵柄、キャラクター、文字、数字又は記号が印刷された印刷層が設けられるため、図形、絵柄、キャラクター、文字、数字又は記号による装飾を鮮明に印刷することができる。また、ポケットの開口部の周縁部の生地がラバーシートにより被覆されるため、使用者によりポケットが繰り返し使用されても、ポケットの周囲の生地が伸びあるいは撚れず、ポケットの周囲の生地に印刷された図形等による装飾が歪むことを抑制することができる。また、図形等による装飾が印刷された印刷層を備えたラバーシートを生地に取り付けるだけで衣服が作成できるため、異なるデザインによる衣服の多品種少量生産を容易に行うことができる。
【００１３】
また、前記開口部にファスナー部材が設けられ、前記ファスナー部材と前記開口部の周縁部の生地との境界部が前記ラバーシートにより被覆されているのが好ましい。これによれば、ラバーシートによりファスナー部材とボケットの開口部の周縁部の生地との境界部を隠せるため、衣服の外観的な装飾性を向上させることができる。
【００１４】
また、前記ラバーシートは、図形、絵柄、キャラクター、文字、数字又は記号の形状に模られてもよい。これによれば、ラバーシートの形状により衣服の外観的な装飾性を向上させることができる。
【００１５】
また、前記ポケットの前記開口部の周縁部の生地の表側に前記ラバーシートが重ね合わされるとともに、前記ポケットの前記開口部の周縁部の生地の裏側に前記ファスナー部材が重ね合わされた状態において、前記ラバーシートと前記ファスナー部材が生地に一括して熱溶着されているのが好ましい。これによれば、ラバーシートとファスナー部材を生地に簡単に取り付けることができるため、衣服の多品種少量生産を一層容易に行うことができる。
【００１６】
前記ポケットの内部に保冷材が収容されてもよい。これによれば、ファスナー付き衣服に保冷効果を持たせることができる。
【考案の効果】
【００１７】
本考案によれば、ラバーシートに図形、絵柄、キャラクター、文字、数字又は記号が印刷された印刷層が設けられるため、図形、絵柄、キャラクター、文字、数字又は記号による装飾を鮮明に印刷することができる。
【００１８】
また、ポケットの開口部の周縁部の生地がラバーシートにより被覆されるため、使用者によりポケットが繰り返し使用されても、ポケットの周囲の生地が伸びあるいは撚れず、ポケットの周囲の生地に印刷された図形等による装飾が歪むことを抑制することができる。
【００１９】
さらに、図形等による装飾が印刷された印刷層を備えたラバーシートを生地に取り付けるだけで衣服が作成できるため、異なるデザインによる衣服の多品種少量生産を容易に行うことができる。
【図面の簡単な説明】
【００２０】
【図１】本発明に係る衣服の正面図である。
【図２】図１の部分拡大図である。
【図３】図２のＩＩＩ−ＩＩＩ線による断面図である。
【図４】図２のＩＶ−ＩＶ線による断面図である。
【図５】本発明に係るかばんの正面図である。
【考案を実施するための形態】
【００２１】
＜第１の実施形態＞
次に、本考案に係るポケット付き衣服（以下、衣服Ｃという。）について図１〜図４を参照しつつ説明する。
【００２２】
衣服Ｃは、図１に示すように、上半身に着用される上衣であって、全体を構成する生地１と、ポケットＰを構成する生地片２とを備える。
【００２３】
前記生地１は、所定の色に着色された繊維により編まれており、生地固有の柔軟性と吸湿性を備えている。この前記生地１は、着用者の動きに合わせて柔軟に伸縮するとともに、着用者の発汗する汗を吸収して、着用者の快適性を維持する。
【００２４】
前記生地片２は、前記生地１と同様に所定の色に着色された繊維により編まれている。この前記生地片２は、衣服Ｃの右胸部の裏側に配置され、生地１の裏側と生地片２の表側縁部が接着又は縫い合わされることにより、生地１と生地片２挟まれた空間からなるポケットＰを形成する。なお、本実施形態では、前記生地片２は、縦１２ｃｍ、横１０ｃｍ程度の大きさに形成されている。
【００２５】
前記ポケットＰは、図２に示すように、前記生地片２が配置された部分の前記生地１の上部を切り抜くことにより、衣服Ｃの表側に開口部３が設けられる。
【００２６】
前記開口部３は、図３〜図４に示すように、垂直方向に２ｃｍ程度、水平方向に５ｃｍ〜１０ｃｍ程度切り抜かれた長円状に形成され、周縁部３１の生地の裏側にファスナー部材４が設けられるとともに、周縁部３１の生地の表側にラバーシート５が設けられている。
【００２７】
前記ファスナー部材４は、前記開口部３よりわずかに大きい樹脂製の止水ファスナーである。このファスナー部材４は、互いに歯合するファスナー４１と、ファスナー４１の周囲に設けられ、ファスナー４１を生地に取り付けるための取付部４２と、スライドすることにより一対のファスナー４１を歯合・分離させるスライダ４３を備えている。ファスナー４１は、取付部４２を介して前記開口部３の周縁部３１に取り付けられている。該ファスナー部材４は、スライダ４３を右にスライドさせることにより、ファスナー４１の上側部分と下側部分が歯合して開口部３を閉じる一方、スライダ４３を左にスライドさせることにより、ファスナー４１の上側部分と下側部分が分離して開口部３を開く。該ファスナー部材４は、後述するように、ホットメルト接着剤により前記開口部３の周縁部３１に熱溶着される。
【００２８】
前記ラバーシート５は、開口部３の周縁部３１の生地の表側を被覆しており、ゴム製樹脂で構成される柔軟性を有するシート部材である。また、ラバーシート５は、図４に示すように、表面に図形、絵柄、キャラクター、文字、数字又は記号が印刷された印刷層５１を備えている。該印刷層５１は、インクジェットプリンタにより着色インクを付着させること等により形成される。なお、この印刷層５１は、前記ラバーシート５全体を覆う態様で設けられてもよいし、ラバーシート５の一部を覆う態様で設けられてもよい。
【００２９】
これによれば、ラバーシート５に図形、絵柄、キャラクター、文字、数字又は記号が印刷された印刷層５１が設けられるため、図形、絵柄、キャラクター、文字、数字又は記号による装飾を鮮明に印刷することができる。また、ポケットＰの開口部３の周縁部３１の生地がラバーシート５により被覆されるため、使用者によりポケットＰが繰り返し使用されても、ポケットＰの周囲の生地が伸びあるいは撚れず、ポケットＰの周囲の生地に印刷された図形等による装飾が歪むことを抑制することができる。また、図形等による装飾が印刷された印刷層５１を備えたラバーシートを生地にホットメルト接着剤等で熱溶着するだけで衣服が作成できるため、異なるデザインによる衣服の多品種少量生産を容易に行うことができる。
【００３０】
また、前記ラバーシート５は、図形、絵柄、キャラクター、文字、数字又は記号の形状に模られてもよい。ラバーシート５の形状により衣服Ｃの外観的な装飾性を向上させることができる。なお、本実施形態では、ラバーシート５は、右端部の印刷層５１に文字５２が印刷されているとともに、左端部の印刷層５１にキャラクター５３が印刷され、且つ左端部がキャラクター５２を囲む形状に模られている。
【００３１】
また、前記ラバーシート５は、前記ファスナー部材４と前記開口部３の周縁部３１の生地との境界部３２を被覆している。これによれば、ラバーシート５によりファスナー部材４とボケットＰの開口部３の表側の周縁部３１の生地との境界部３２を隠せるため、衣服Ｃの外観的な装飾性を向上させることができる。
【００３２】
次に、衣服Ｃの製造方法について説明する。
【００３３】
まず、上衣の右胸部の生地を垂直方向に２ｃｍ程度、水平方向に５ｃｍ〜１０ｃｍ程度長円状に切り抜き、開口部３が形成された上衣の生地１を用意する。また、図形、絵柄、キャラクター、文字、数字又は記号が印刷された印刷層５１を備えたラバーシート５を用意する。また、前記開口部３よりわずかに大きいファスナー部材４を用意する。
【００３４】
次に、前記ポケットＰの前記開口部３の表側の周縁部３１の生地にラバーシート５を重ね合わすとともに、ポケットＰの開口部３の裏側の周縁部３１の生地にファスナー部材４を重ね合わした状態において、加熱プレスすることにより前記ラバーシート５と前記ファスナー部材４を生地に一括して熱溶着する。これによれば、ラバーシート５とファスナー部材４を生地に簡単に取り付けることができるため、衣服Ｃの多品種少量生産を一層容易に行うことができる。
【００３５】
＜第２の実施形態＞
次に、本考案に係るポケット付きかばん（以下、かばんＢという。）について図５を参照しつつ説明する。なお、以下では上記の実施形態と異なる構成についてのみ説明することとし、同一の構成については説明を省略して同一の符号を付すこととする。
【００３６】
かばんＢは、図５に示すように、内部に物品を収容する収容部６と、手提げ用の手提げ部７を備えた手提げかばんである。該かばんＢは、第１の実施形態の衣服Ｃと同様に、全体を構成する生地１と、ポケットＰを構成する生地片２を備える。
【００３７】
前記生地１は、所定の色に着色された繊維により編まれ、柔軟性と耐久性を備えている。この前記生地１は、収容する物品の大きさに合わせて柔軟に変形するとともに、外部からの力に応じて変形して、当該かばんＢの耐久性を維持する。
【００３８】
前記生地片２は、かばんＢの中央部の裏側に配置され、生地１の裏側と生地片２の表側縁部が接着されることにより、生地１と生地片２挟まれた空間からなるポケットＰを形成する。なお、本実施形態では、前記生地片２は、縦９ｃｍ、横１５ｃｍ程度の大きさに形成されている。
【００３９】
前記ポケットＰは、前記生地片２が配置された部分の前記生地１の上部を垂直方向に２ｃｍ程度、水平方向に１０ｃｍ〜１５ｃｍ程度の長円状に切り抜くことにより、かばんＢの表側に収納口および取出口となる開口部３が設けられる。
【００４０】
前記開口部３は、第１の実施形態と同様に、表面の周縁部３１がラバーシート５により被覆されている。また、前記周縁部３１は、前記開口部３を開閉可能なファスナー部材４が設けられている。
【００４１】
また、前記ラバーシート５は、表面に図形、絵柄、キャラクター、文字、数字又は記号が印刷された印刷層５１を備えている。なお、本実施形態では、印刷層５１は、中央部に文字５２が印刷され、両端部にヒマワリの図形５４が印刷されている。
【００４２】
なお、上記実施形態において、前記生地片２は、衣服Ｃ又はかばんＢの裏側に配置されるものとしたがこれに限られず、衣服Ｃ又はかばんＢの表側に配置されてもよい。
【００４３】
また、前記ポケットＰは、前記生地１を水平方向に長く切り開くことにより開口部３が設けられるものとして説明したがこれに限られず、前記生地１を斜め方向の長くあるいは垂直方向に長く切り開くことにより開口部３が設けられてもよい。
【００４４】
また、前記ファスナー部材４は、樹脂製の止水ファスナーであるものとして説明したがこれに限られず、その他のファスナーであってもよい。
【００４５】
また、前記ラバーシート５は、表面に印刷層５１を備えるものとして説明したがこれに限られず、内部又は裏面に印刷層５１を備えてもよい。この場合、前記ラバーシート５は、内部又は裏面の印刷層５１が外部から視認できるよう、透明または半透明の材料で形成されるとよい。
【００４６】
また、前記ラバーシート５および前記ファスナー部材４は、ホットメルト接着剤により熱溶着されるものとして説明したがこれに限られず、その他の方法により取り付けられてもよい。
【００４７】
また、ポケットＰの内部に保冷材を設けることによって、ファスナー付き衣服に保冷効果を持たせるてもよい。
【００４８】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４９】
１…生地
２…生地片
３…開口部
３１…周縁部
３２…境界部
４…ファスナー部材
４１…ファスナー
４２…取付部
４３…スライダ
５…ラバーシート
５１…印刷層
５２…文字
５３…キャラクター
５４…図形
６…収容部
７…手提げ部
Ｃ…衣服
Ｐ…ポケット
Ｂ…かばん
【図１】
0003224709.tif 000003
【図２】
0003224709.tif 000004
【図３】
0003224709.tif 000005
【図４】
0003224709.tif 000006
【図５】
0003224709.tif 000007